(57)【特許請求の範囲】
【請求項１】
ブルートゥース(登録商標）無線通信方式を用いたデータ通信機能を有する無線電話機を含む複数の内線電話機と、これら内線電話機を接続するとともに通話回線を収容する電話制御装置とを有し、前記電話制御装置により、前記内線電話機と前記通話回線とを制御して任意に交換接続することにより当該通話回線を用いた当該内線電話機による通話を実現する電話システムであって、
前記無線電話機は、搬送波周波数の異なる複数のチャネルのうちから任意の通信条件に基づき順次選択したチャネルを用いて無線データ通信を行う通信制御手段と、前記無線データ通信に関する通信条件を特定するための項目を前記電話制御装置から取得して選択し前記電話制御装置へ通知する通信条件選択手段と、前記電話制御装置から通知された通信条件を前記無線データ通信の通信条件として前記通信制御手段に指定する通信条件指示手段とを有し、
前記電話制御装置は、前記無線電話機での無線データ通信に関する通信条件を特定するための項目を記憶する記憶部と、前記無線電話機からの取得要求に応じて前記記憶部の項目を当該無線電話機へ通知し、これに応じて当該無線電話機で選択された項目に対応する通信条件を抽出して当該無線電話機へ設定する通信条件設定手段を有する
ことを特徴とする電話システム。
【請求項２】
請求項１に記載の電話システムにおいて、
前記通信条件設定手段は、前記通信条件を抽出する際、前記項目から前記無線データ通信で用いるチャネルの使用可否を示す通信条件を抽出し、
前記通信条件指示手段は、前記通信条件を指定する際、前記電話制御装置から通知された通信条件に基づき前記無線データ通信で用いる前記各チャネルの使用可否を前記通信制御手段に指定する
ことを特徴とする電話システム。
【請求項３】
請求項１に記載の電話システムにおいて、
前記内線電話機のいずれかからなり、前記無線電話機での無線データ通信に関する通信条件を特定するための項目を前記電話制御装置へ登録する項目登録手段を有する設定用電話機をさらに備え、
前記電話制御装置は、前記設定用電話機から通知された項目に基づき前記記憶部の項目を更新記憶する項目更新手段をさらに備える
ことを特徴とする電話システム。
【請求項４】
請求項３に記載の電話システムにおいて、
前記設定用電話機は、各種情報を画面表示する表示部をさらに有し、
前記項目登録手段は、前記項目を選択する際、前記電話制御装置から通知された各項目を前記表示部で画面表示し、任意の操作入力に応じて前記表示部に表示された前記各項目のうちのいずれかを選択する
ことを特徴とする電話システム。
【請求項５】
請求項４に記載の電話システムにおいて、
前記通信条件選択手段は、前記項目を選択する際、前記項目として無線ＬＡＮ通信方式で用いられる無線ＬＡＮチャネルを示す項目を選択する
ことを特徴とする電話システム。
【請求項６】
請求項４に記載の電話システムにおいて、
前記通信条件選択手段は、前記項目を選択する際、前記項目として電子機器を示す項目を選択する
ことを特徴とする電話システム。
【請求項７】
請求項３に記載の電話システムにおいて、
前記通信条件設定手段は、前記記憶部の項目に対する更新に応じて前記無線電話機へ項目更新を通知し、
前記通信条件選択手段は、前記電話制御装置からの項目更新通知に応じて前記項目が更新された旨を前記表示部で表示する
ことを特徴とする電話システム。
【請求項８】
請求項３に記載の電話システムにおいて、
前記通信条件設定手段は、当該電話制御装置の起動に応じて前記無線電話機へ項目更新を通知し、
前記通信条件選択手段は、前記電話制御装置からの項目更新通知に応じて前記項目が更新された旨を前記表示部で表示する
ことを特徴とする電話システム。
【請求項９】
請求項１に記載の電話システムにおいて、
前記通信条件選択手段は、前記項目を通知する際、前記通信条件の指定対象となる無線電話機を示す電話機情報を前記電話制御装置へ通知し、
前記通信条件設定手段は、前記通信条件を通知する際、前記電話機情報に対応する無線電話機へ前記通信条件を設定する
ことを特徴とする電話システム。
【請求項１０】
ブルートゥース(登録商標）無線通信方式を用いたデータ通信機能を有する無線電話機を含む複数の内線電話機と、これら内線電話機を接続するとともに通話回線を収容する電話制御装置とを有する電話システムで用いられ、前記内線電話機と前記通話回線とを制御して任意に交換接続することにより当該通話回線を用いた当該内線電話機による通話を実現する電話制御装置であって、
前記無線電話機で搬送波周波数の異なる複数のチャネルのうちから任意の通信条件に基づき順次選択したチャネルを用いて無線データ通信を行う際の通信条件を特定するための項目を記憶する記憶部と、
前記無線電話機からの取得要求に応じて前記記憶部の項目を当該無線電話機へ通知し、これに応じて当該無線電話機で選択された項目に対応する通信条件を抽出して当該無線電話機へ設定する通信条件設定手段と
を備えることを特徴とする電話制御装置。
【請求項１１】
ブルートゥース(登録商標）無線通信方式を用いたデータ通信機能を有する無線電話機を含む複数の内線電話機と、これら内線電話機を接続するとともに通話回線を収容する電話制御装置とを有する電話システムで用いられ、前記内線電話機と前記通話回線とを制御して任意に交換接続することにより当該通話回線を用いた当該内線電話機による通話を実現する電話制御装置のコンピュータに、
前記無線電話機で搬送波周波数の異なる複数のチャネルのうちから任意の通信条件に基づき順次選択したチャネルを用いて無線データ通信を行う際の通信条件を特定するための項目を記憶部で記憶するステップと、
前記無線電話機からの取得要求に応じて前記記憶部の項目を当該無線電話機へ通知し、これに応じて当該無線電話機で選択された項目に対応する通信条件を抽出して当該無線電話機へ設定する通信条件設定ステップと
を実行させるプログラム。
【発明の詳細な説明】
【技術分野】
【０００１】
本発明は、電話機制御技術に関し、特にブルートゥース(登録商標:Bluetooth)無線通信方式を用いた無線電話機を含む複数の電話機により通話回線を共用する電話システムで、これら無線電話機で用いる無線チャネルを管理するチャネル管理技術に関する。
【背景技術】
【０００２】
複数の内線電話機により通話回線（外線）を共用するボタン電話装置などの電話システムでは、内線電話機としてブルートゥース無線通信方式を用いたブルートゥース無線電話機を収容する電話システムがある。
例えば、有線伝送路を介して電話制御装置に接続された無線親機とハンドセット型の無線子機とからなるカールコードレス電話機では、無線親機と無線子機との間でやり取りする音声データや制御データをブルートゥース無線通信方式で送受信する構成をとっており、無線親機からある程度離れた場所でも無線子機により通話できる。
【０００３】
このような、汎用無線インターフェースであるブルートゥース無線通信方式では、変調方式として周波数ホッピング・スペクトラム拡散（FHSS:Frequency Hopping Spread Spectrum）変調方式が用いられている（非特許文献１など参照）。周波数ホッピング・スペクトラム拡散変調方式は、一定時間ごとに搬送波周波数（中心周波数）を変えてすなわち周波数ホッピングして伝送する方式である。
一般に、任意の帯域幅の電力は周波数ホッピングする周期に対して十分長い時間で平均すると低くなるので他のシステムの通信を妨害しにくく、また特定の周波数に妨害波が存在してもすぐ別の周波数にホッピングするので他のシステムからの干渉に強いといわれている。
【０００４】
ブルートゥース無線通信方式では、２．４ＧＨｚ帯に１ＭＨｚ間隔で７９個または２３個のチャネルを設け、通信開始時にマスタ側とスレーブ側との間で設定したチャネル選択順に基づき、１６００回／秒という速度で周波数ホッピングを繰り返し、その際、選択したチャネルを用いて相手無線装置と所望のパケットを送受信することにより、データ通信を行うものとなっている。
【０００５】
従来より、このような周波数ホッピング技術として、他の機器から送信されている電波により任意のチャネルでパケット送受信エラーが発生した場合、そのチャネルを使用不可とするアダプティブ周波数ホッピング（以下、ＡＦＨという：Adaptive Frequency Hopping）技術が使用されている（例えば、非特許文献２など参照／ブルートゥース 1.2）。
このアダプティブ周波数ホッピング技術によれば、使用不可と判断されたチャネルはチャネル選択順から除外されるため、そのチャネルに対してそれ以降周波数ホッピングが行われなくなり、当該チャネルの搬送波周波数における他の装置との電波の相互干渉や、同種の無線通信装置との当該チャネルにおけるパケット送受信の衝突による無線通信の途切れを低減できる。
【０００６】
一方、ブルートゥース無線通信方式と同様に、産業科学医療用に用意されたＩＳＭ（Industrial Scientific Medical）バンドの周波数を用いて無線通信を行う汎用無線インターフェースとして、各種のスペクトラム拡散変調方式を用いる無線ＬＡＮ通信方式がある（非特許文献３など参照）。
例えば、無線ＬＡＮ通信方式のIEEE 802.11gでは、２．４ＧＨｚ帯に５ＭＨｚ間隔で１３個のチャネルを設け、ＣＳＭＡ／ＣＡ（Carrier Sense Multiple Access with Collision Avoidance）方式により無線通信を行う。
【０００７】
ＣＳＭＡ／ＣＡ方式では、まず、使用するチャネルからデータを送信する前に、他無線通信装置が当該チャネルでデータ送信をしていないかを調べ(Carrier Sense)、さらに自分宛のデータが送信されてきていないかを調べる(Sense Multiple Access)。その結果、衝突の心配がないと判断したらデータを送信し、他に通信中の無線通信装置があった場合には送信待機(Collision Avoidance)となる。送信待機では、ランダムに割り当てられた時間を待ってから再度上記手順を繰り返す。また、全く同時に２つの無線通信装置が送信を始めて衝突した場合は、エラー回復ができないため上位層レベルで再送が行われる。
【０００８】
【非特許文献１】http://www.bluetooth.org/spec/
【非特許文献２】http://www.ericsson.com/bluetooth/files/whitepaper_on_afh_final.pdf
【非特許文献３】http://grouper.ieee.org/groups/802/11/
【発明の開示】
【発明が解決しようとする課題】
【０００９】
しかしながら、このような従来技術では、ＩＳＭバンドを使用する無線ＬＡＮ通信装置や各種機器とブルートゥース無線電話機との間で電波干渉が発生した場合、ブルートゥース無線電話機と併用される無線ＬＡＮ通信装置などＩＳＭバンドを用いる他の無線通信装置の無線通信環境、あるいはブルートゥース無線電話機自体の無線通信環境を良好に保つことができないという問題点があった。
【００１０】
例えば、ブルートゥース無線通信方式のＡＦＨでは、無線ＬＡＮ通信方式のようなキャリアセンス動作は行わず、選択したチャネルでパケット送受信を行い、その通信エラーの有無に応じて当該チャネルの使用可否を判断している。このため、無線ＬＡＮ通信装置の通信エリア内でブルートゥース無線電話機を併用する場合、信号送受信のタイミングによってはブルートゥース無線電話機がチャネルを優先的に確保してしまい、無線ＬＡＮ通信装置で対応する周波数のチャネルを確保できなくなり、無線ＬＡＮ通信装置の無線通信環境が悪化する場合がある。
【００１１】
また、電子レンジや医療用メス等のマイクロ波電子機器やアマチュア無線装置など、ＩＳＭバンドを使用するＩＳＭ機器が周辺にある場合、ブルートゥース無線通信方式では、ＡＦＨにより、これらＩＳＭ機器で用いる周波数のチャネルでの通信エラー発生に応じて、当該チャネルを使用不可とする回避動作が行われる。しかし、その回避動作において例えば統計処理などの処理時間を要する場合、一時的ではあるが通信品質が低下してブルートゥース無線電話機自体の無線通信環境が悪化する。
【００１２】
本発明はこのような課題を解決するためのものであり、ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つことができる電話システム、電話制御装置、およびプログラムを提供することを目的としている。
【課題を解決するための手段】
【００１３】
このような目的を達成するために、本発明にかかる電話システムは、ブルートゥース(登録商標）無線通信方式を用いたデータ通信機能を有する無線電話機を含む複数の内線電話機と、これら内線電話機を接続するとともに通話回線を収容する電話制御装置とを有し、電話制御装置により、内線電話機と通話回線とを制御して任意に交換接続することにより当該通話回線を用いた当該内線電話機による通話を実現する電話システムであって、無線電話機は、搬送波周波数の異なる複数のチャネルのうちから任意の通信条件に基づき順次選択したチャネルを用いて無線データ通信を行う通信制御手段と、無線データ通信に関する通信条件を特定するための項目を電話制御装置から取得して選択し電話制御装置へ通知する通信条件選択手段と、電話制御装置から通知された通信条件を無線データ通信の通信条件として通信制御手段に指定する通信条件指示手段とを有し、電話制御装置は、無線電話機での無線データ通信に関する通信条件を特定するための項目を記憶する記憶部と、無線電話機からの取得要求に応じて記憶部の項目を当該無線電話機へ通知し、これに応じて当該無線電話機で選択された項目に対応する通信条件を抽出して当該無線電話機へ設定する通信条件設定手段を有している。
【００１４】
この際、通信条件設定手段で、通信条件を抽出する際、項目から無線データ通信で用いるチャネルの使用可否を示す通信条件を抽出し、通信条件指示手段で、通信条件を指定する際、電話制御装置から通知された通信条件に基づき無線データ通信で用いる各チャネルの使用可否を通信制御手段に指定するようにしてもよい。
【００１５】
また、内線電話機のいずれかからなり、無線電話機での無線データ通信に関する通信条件を特定するための項目を電話制御装置へ登録する項目登録手段を有する設定用電話機をさらに備え、電話制御装置に、設定用電話機から通知された項目に基づき記憶部の項目を更新記憶する項目更新手段をさらに設けてもよい。
【００１６】
この際、設定用電話機に、各種情報を画面表示する表示部をさらに設け、項目登録手段は、項目を選択する際、電話制御装置から通知された各項目を表示部で画面表示し、任意の操作入力に応じて表示部に表示された各項目のうちのいずれかを選択するようにしてもよい。
【００１７】
さらに、通信条件選択手段で、項目を選択する際、項目として無線ＬＡＮ通信方式で用いられる無線ＬＡＮチャネルを示す項目を選択するようにしてもよく、あるいは通信条件選択手段で、項目を選択する際、項目として電子機器を示す項目を選択するようにしてもよい。
【００１８】
また、通信条件設定手段で、記憶部の項目に対する更新に応じて無線電話機へ項目更新を通知し、通信条件選択手段で、電話制御装置からの項目更新通知に応じて項目が更新された旨を表示部で表示するようにしてもよい。
【００１９】
また、通信条件設定手段で、当該電話制御装置の起動に応じて無線電話機へ項目更新を通知し、通信条件選択手段で、電話制御装置からの項目更新通知に応じて項目が更新された旨を表示部で表示するようにしてもよい。
【００２０】
また、通信条件選択手段で、項目を通知する際、通信条件の指定対象となる無線電話機を示す電話機情報を電話制御装置へ通知し、通信条件設定手段で、通信条件を通知する際、電話機情報に対応する無線電話機へ通信条件を設定するようにしてもよい。
【００２１】
また、本発明にかかる電話制御装置は、ブルートゥース(登録商標）無線通信方式を用いたデータ通信機能を有する無線電話機を含む複数の内線電話機と、これら内線電話機を接続するとともに通話回線を収容する電話制御装置とを有する電話システムで用いられ、内線電話機と通話回線とを制御して任意に交換接続することにより当該通話回線を用いた当該内線電話機による通話を実現する電話制御装置であって、無線電話機で搬送波周波数の異なる複数のチャネルのうちから任意の通信条件に基づき順次選択したチャネルを用いて無線データ通信を行う際の通信条件を特定するための項目を記憶する記憶部と、無線電話機からの取得要求に応じて記憶部の項目を当該無線電話機へ通知し、これに応じて当該無線電話機で選択された項目に対応する通信条件を抽出して当該無線電話機へ設定する通信条件設定手段とを備えている。
【００２２】
また、本発明にかかるプログラムは、ブルートゥース(登録商標）無線通信方式を用いたデータ通信機能を有する無線電話機を含む複数の内線電話機と、これら内線電話機を接続するとともに通話回線を収容する電話制御装置とを有する電話システムで用いられ、内線電話機と通話回線とを制御して任意に交換接続することにより当該通話回線を用いた当該内線電話機による通話を実現する電話制御装置のコンピュータに、無線電話機で搬送波周波数の異なる複数のチャネルのうちから任意の通信条件に基づき順次選択したチャネルを用いて無線データ通信を行う際の通信条件を特定するための項目を記憶部で記憶するステップと、無線電話機からの取得要求に応じて記憶部の項目を当該無線電話機へ通知し、これに応じて当該無線電話機で選択された項目に対応する通信条件を抽出して当該無線電話機へ設定する通信条件設定ステップとを実行させる。
【発明の効果】
【００２３】
本発明によれば、電話制御装置において、無線電話機での無線データ通信に関する通信条件を特定するための項目が記憶部で記憶されており、通信条件設定手段により、無線電話機からの取得要求に応じて記憶部の項目が当該無線電話機へ通知され、これに応じて当該無線電話機で選択された項目に対応する通信条件が抽出されて当該無線電話機へ設定されるため、ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つことができる。
【発明を実施するための最良の形態】
【００２４】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システムは、内線電話機として動作する複数の無線電話機４（４Ａ，４Ｂ，４Ｃ，…）と、これら無線電話機４を有線の内線伝送路５を介して接続するとともにアナログ電話回線、ＩＳＤＮ回線、あるいはＩＰ電話回線などからなる１つ以上の通話回線９を収容する電話制御装置１とから構成されている。
【００２５】
無線電話機４は、カールコードレス無線親機（以下、親機という）２とカールコードレス無線子機（以下、子機という）３とからなるカールコードレス無線電話機である。この無線電話機４は、呼制御機能を持つ親機２と通話機能を持つ子機３とがブルートゥース無線通信方式による無線伝送路を介して接続される電話機であり、親機２が内線伝送路５を介して電話制御装置１と接続されている。
【００２６】
本実施の形態では、無線電話機４で搬送波周波数の異なる複数のチャネルのうちから任意の通信条件に基づき順次選択したチャネルを用いて無線データ通信を行う際、電話制御装置１により、無線電話機４での無線データ通信に関する通信条件を特定するための項目を記憶部で記憶しておき、無線電話機４からの取得要求に応じて記憶部の項目を当該無線電話機４へ通知し、これに応じて当該無線電話機で選択された項目に対応する通信条件を抽出して当該無線電話機へ設定するようにしたものである。
【００２７】
［電話制御装置］
次に、図１を参照して、本発明の第１の実施の形態にかかる電話システムの電話制御装置について詳細に説明する。ここでは、内線電話機のすべてが無線電話機４から構成されている場合を例として説明する。
【００２８】
この電話制御装置１は、例えばボタン電話装置の主装置に相当する通信制御装置であり、外線インターフェース部（以下、外線Ｉ／Ｆ部という）１０、内線インターフェース部（以下、内線Ｉ／Ｆ部という）１１、スイッチ１２、記憶部１４、および制御部１５が設けられている。
【００２９】
外線Ｉ／Ｆ部１０は、専用のインターフェース回路部からなり、通話回線（外線）９を終端制御する機能を有している。
内線Ｉ／Ｆ部１１は、専用のインターフェース回路部からなり、内線伝送路５を介して無線電話機４（４Ａ，４Ｂ，４Ｃ，…）とデータ伝送を行う機能を有している。
スイッチ１２は、専用のスイッチング回路部からなり、外線Ｉ／Ｆ部１０と内線Ｉ／Ｆ部１１との伝送路を交換接続する機能を有している。
【００３０】
記憶部１４は、メモリやハードディスクなどの記憶装置からなり、制御部１５での処理に用いる各種処理情報やプログラムを記憶する機能を有している。
主な処理情報としては、呼制御情報１４Ａ、項目情報１４Ｂ、および無線チャネル情報１４Ｃがある。
【００３１】
呼制御情報１４Ａは、電話システム全体の呼制御に用いる情報であり、通話回線９や各無線電話機４の状態が管理されている。
項目情報１４Ｂは、各無線電話機４での無線データ通信に関する通信条件を特定するための項目を示す情報である。図３は、項目情報の構成例である。この項目情報１４Ｂには、項目種別と項目内容とが組として登録されている。
【００３２】
このうち、項目種別は、ブルートゥースチャネル番号、電子機器、無線ＬＡＮチャネル番号など、通信条件を特定する方法に関するカテゴリであり、項目内容はチャネル番号や電子機器の機種など、項目種別で指定されたカテゴリで実際に選択する項目の内容である。例えば図３では、項目種別「ブルートゥースチャネル番号」に対して項目内容「ＣＨ５０（２４５２ＭＨｚ）」が登録されており、項目種別「電子機器」に対して項目内容「電子レンジ」が登録されている。
【００３３】
無線チャネル情報１４Ｃは、各無線電話機４での無線データ通信に関する通信条件を示す情報である。図４は、無線チャネル情報の構成例である。この無線チャネル情報１４Ｃには、無線電話機４を識別するための無線電話機ＩＤと当該無線電話機での無線データ通信を行う際の通信条件としてブルートゥース無線通信方式の使用不可チャネル番号とが組として登録されている。
【００３４】
制御部１５は、ＣＰＵなどのマイクロプロセッサとその周辺回路を有し、記憶部１４のプログラムを読み込んで実行することにより、上記ハードウェアとプログラムとを協働させ各種機能手段を実現する機能を有している。
主な機能手段としては、呼制御手段１５Ａ、項目更新手段１５Ｂ、および通信条件設定手段１５Ｃがある。
【００３５】
呼制御手段１５Ａは、電話システム全体の呼制御を行う手段であり、記憶部１４の呼制御情報に基づき外線Ｉ／Ｆ部１０およびスイッチ１２を制御するとともに、内線Ｉ／Ｆ部１１および内線伝送路５を介して各無線電話機４と各種制御情報をやり取りすることにより、通信回線９を用いた無線電話機４による外線発着信動作や無線電話機４間の内線発着信動作を制御する機能を有している。
【００３６】
項目更新手段１５Ｂは、無線電話機４での無線データ通信に関する通信条件を特定するための項目を受け付ける機能と、受け付けた項目を記憶部１４の項目情報１４Ｂへ更新登録する機能とを有している。
【００３７】
通信条件設定手段１５Ｃは、項目更新手段１５Ｂでの項目更新に応じて各無線電話機４へ項目更新を通知する機能と、任意の無線電話機４からの取得要求に応じて項目情報１４Ｂの各項目を当該無線電話機４へ通知する機能と、これに応じて当該無線電話機で選択された項目に対応する通信条件を抽出する機能と、抽出した通信条件を記憶部１４の無線チャネル情報１４Ｃに登録する機能と、抽出した通信条件を当該無線電話機へ通知して設定する機能とを有している。
【００３８】
［無線電話機］
次に、図２を参照して、本発明の第１の実施の形態にかかる電話システムで用いられる無線電話機について詳細に説明する。図２は、本発明の第１の実施の形態にかかる電話システムで用いられる無線電話機の構成を示すブロック図である。
【００３９】
この無線電話機４は、呼制御機能を持つ親機２と通話機能を持つ子機３とがブルートゥース無線通信方式による無線伝送路を介して接続される電話機であり、親機２が内線伝送路５を介して電話制御装置１と接続されている。
【００４０】
［親機］
親機２には、伝送インターフェース部（以下、伝送Ｉ／Ｆ部という）２０、音声処理部２１、表示部２２、操作入力部２３、記憶部２４、親機制御部２５、および無線モジュール２６が設けられている。
【００４１】
伝送Ｉ／Ｆ部２０は、専用のインターフェース回路部からなり、内線伝送路５を介して電話制御装置１とデータ伝送を行う機能を有している。
音声処理部２１は、専用の音声処理回路とスピーカ（図示せず）およびマイク（図示せず）からなり、親機制御部２５からの指示に応じて伝送Ｉ／Ｆ部２０で受信した音声データを音声信号に復号してスピーカから出力する機能と、マイクから入力された音声信号を音声データに符号化して伝送Ｉ／Ｆ部２０へ出力する機能とを有している。
【００４２】
表示部２２は、ＬＣＤやＬＥＤなどの表示装置からなり、親機制御部２５からの指示に応じて呼制御用の表示や通信条件設定時の項目選択画面を表示する機能を有している。
操作入力部２３は、ダイヤルキーや項目選択用の操作キー、さらには各種スイッチからなり、利用者の操作を検出して親機制御部２５へ出力する機能を有している。
記憶部２４は、メモリなどの記憶装置からなり、親機制御部２５での処理に用いる各種処理情報やプログラムを記憶する機能を有している。
【００４３】
親機制御部２５は、ＣＰＵなどのマイクロプロセッサとその周辺回路を有し、記憶部１４のプログラムを読み込んで実行することにより、上記ハードウェアとプログラムとを協働させ各種機能手段を実現する機能を有している。
主な機能手段としては、呼制御手段２５Ａ、項目登録手段２５Ｂ、通信条件選択手段２５Ｃ、通信条件指示手段２５Ｄがある。
【００４４】
呼制御手段２５Ａは、伝送Ｉ／Ｆ部２０および内線伝送路５を介して電話制御装置１と各種制御情報をやり取りするとともに、無線モジュール２６を介して子機３と各種制御情報をやり取りすることにより、当該親機２および子機３を制御して通信回線９を用いた外線発着信動作や他の無線電話機４との内線発着信動作を制御する機能を有している。
【００４５】
項目登録手段２５Ｂは、当該無線電話機４の親機２と子機３との間の無線データ通信に関する通信条件の特定に用いる各項目を電話制御装置１から取得して表示部２２で画面表示する機能と、操作に応じて通信条件を特定に用いる項目を選択して電話制御装置１へ登録する機能を有している。
【００４６】
通信条件選択手段２５Ｃは、当該無線電話機４の親機２と子機３との間の無線データ通信に関する通信条件を特定するための各項目を電話制御装置１から取得して表示部２２で画面表示する機能と、操作に応じて通信条件を特定するための項目を選択して電話制御装置１へ通知する機能を有している。
【００４７】
通信条件指示手段２５Ｄは、電話制御装置１から通知された通信条件を当該無線電話機４の親機２と子機３との間の無線データ通信の通信条件として無線モジュール２６に指定する機能を有している。
【００４８】
無線モジュール２６は、ブルートゥース無線通信方式に準拠した無線インターフェースを提供する機能モジュールであり、各種機能部が親機２を構成する１つの構成要素として一体に実装されている。
無線モジュール２６に設けられている主な機能部としては、無線送受信部２７、モジュール記憶部２８、およびモジュール制御部２９がある。
【００４９】
無線送受信部２７は、ブルートゥース無線通信方式に準拠して無線信号を送受信する回路部であり、子機３との間で無線信号を送受信することにより無線回線６を介したデータ通信を行う機能を有している。この際、無線送受信部２７は、周波数ホッピング・スペクトラム拡散変調方式に基づき２．４ＧＨｚ帯に１ＭＨｚ間隔で設けた７９個または２３個のチャネルをモジュール制御部２９からの指示に基づき周波数ホッピングを繰り返し、その周波数ホッピングで選択したチャネルを用いて子機３と所望のパケットを送受信することによりデータ通信を行う。
【００５０】
モジュール記憶部２８は、メモリなどの記憶装置からなり、モジュール制御部２９での処理動作に用いる各種処理情報を記憶する機能を有している。モジュール記憶部２８で記憶する主な処理情報として、チャネルテーブル２８Ａがある。
チャネルテーブル２８Ａは、周波数ホッピング・スペクトラム拡散変調方式で順次選択する各チャネルの使用可否を管理するための処理情報であり、図５に示すように、チャネル番号ごとに当該チャネルの使用可否情報が対応付けて登録されている。図５の例では、すべてのチャネル番号に対して「使用可」が登録されている。
このほか、モジュール記憶部２８には、モジュール制御部２９に読み込まれて実行されることにより各種機能手段を実現するためのプログラムなどを予め格納しておいてもよい。
【００５１】
モジュール制御部２９は、ＣＰＵとその周辺回路からなるハードウェアとこれらＣＰＵあるいは周辺回路に設けたメモリ（図示せず）やモジュール記憶部２８に予め格納されているプログラムとを協働させることにより、ブルートゥース無線通信方式に準拠して無線送受信部２７を制御するための機能手段を実現する。
【００５２】
このモジュール制御部２９で実現される主な機能手段としては、通信制御手段２９Ａがある。
通信制御手段２９Ａは、無線送受信部２７を制御して子機３と親機制御部２５との間のデータ通信を制御する機能と、周波数ホッピング・スペクトラム拡散変調方式に基づき、子機３との間でデータ通信開始時に取り決めたチャネル選択順に基づき各チャネルのうちからいずか１つを順次選択して無線送受信部２７へ指示する機能とを有している。この際、通信制御手段２９Ａは、モジュール記憶部２８のチャネルテーブル２８Ａを参照し、チャネル選択順にしたがって選択される次のチャネルが使用不可の場合、後続する使用可のチャネルまでスキップし、その使用可のチャネルを選択する。
【００５３】
このほか、通信制御手段２９Ａは、データ通信時に周波数ホッピングで選択したチャネルでの子機３とのパケット送受信の通信状況を親機制御部２５へ通知する機能と、親機制御部２５からの指示に応じてモジュール記憶部２８のチャネルテーブル２８Ａについて任意のチャネルの使用可否情報を更新する機能と、親機制御部２５からの指示に応じてモジュール記憶部２８のチャネルテーブル２８Ａを子機３へ通知して更新する機能とを有している。
【００５４】
［子機］
子機３には、音声処理部３１、表示部３２、操作入力部３３、記憶部３４、子機制御部３５、および無線モジュール３６が設けられている。
【００５５】
音声処理部３１は、専用の音声処理回路とスピーカ（図示せず）およびマイク（図示せず）からなり、子機制御部３５からの指示に応じて無線モジュール３６で受信した音声データを音声信号に復号してスピーカから出力する機能と、マイクから入力された音声信号を音声データに符号化して無線モジュール３６へ出力する機能とを有している。
【００５６】
表示部３２は、ＬＣＤやＬＥＤなどの表示装置からなり、子機制御部３５からの指示に応じて呼制御用の表示を行う機能を有している。
操作入力部３３は、ダイヤルキーなどの操作キー、さらには各種スイッチからなり、利用者の操作を検出して子機制御部３５へ出力する機能を有している。
記憶部３４は、メモリなどの記憶装置からなり、子機制御部３５での処理に用いる各種処理情報やプログラムを記憶する機能を有している。
【００５７】
子機制御部３５は、ＣＰＵなどのマイクロプロセッサとその周辺回路を有し、記憶部１４のプログラムを読み込んで実行することにより、上記ハードウェアとプログラムとを協働させて各種機能を実現する。
主な機能としては、無線回線６および無線モジュール３６を介して親機２と各種制御情報をやり取りすることにより当該子機３の動作状態を制御する機能や、操作入力部３３で検出された操作の内容を親機２へ通知する機能を有している。
【００５８】
無線モジュール３６は、ブルートゥース無線通信方式に準拠した無線インターフェースを提供する機能モジュールであり、各種機能部が子機３を構成する１つの構成要素として一体に実装されている。
無線モジュール３６の具体的構成は、親機２の無線モジュール２６と同様であり、ここでの詳細な説明は省略する。
【００５９】
［第１の実施の形態の動作］
次に、図６を参照して、本発明の第１の実施の形態にかかる電話システムの動作について説明する。図６は、本発明の第１の実施の形態にかかる電話システムの動作として通信条件設定動作を示すシーケンス図である。
ここでは、無線電話機４Ａから電話制御装置１に対して通信条件特定用の項目を登録し、無線電話機４Ｂにより電話制御装置１に登録されている項目に基づき自己の通信条件を設定する動作を例として説明する。
【００６０】
無線電話機４Ａを構成する親機２の親機制御部２５は、操作入力部２３により項目登録要求操作が検出された場合（ステップ１００）、項目登録手段２５Ｂにより、通信条件項目の登録に用いる登録画面の要求を伝送Ｉ／Ｆ部２０から内線伝送路５を介して電話制御装置１へ送信する（ステップ１０１）。
電話制御装置１の制御部１５は、内線Ｉ／Ｆ部１１を介して無線電話機４Ａからの登録画面要求を受信した場合、項目更新手段１５Ｂにより、記憶部１４から登録画面データ（図示せず）を読み出し、内線Ｉ／Ｆ部１１から内線伝送路５を介して無線電話機４Ａへ通知する（ステップ１０２）。
【００６１】
親機２の項目登録手段２５Ｂは、伝送Ｉ／Ｆ部２０を介して電話制御装置１から設定画面データを受信し、その登録画面データを表示部２２で画面表示して、利用者の操作に応じて必要な情報を取得する。
図７は、登録画面の表示例である。画面２００は、項目登録動作で最初に表示される対象電話機の登録画面である。ここでは、項目の登録方法として「１．無線ＬＡＮチャネル」，「２．Bluetoothチャネル(周波数)」，「３．電子機器」などの項目種別が表示されており、利用者の操作に応じていずれかの項目が選択される。
【００６２】
例えば、画面２００において、設定方法として「１．無線ＬＡＮチャネル」が選択された場合、無線ＬＡＮチャネル項目選択用の画面２０１が表示される。ここでは、無線電話機４Ａ周辺で併用される無線ＬＡＮ機器で使用されるチャネル番号が項目として表示されており、利用者の操作に応じていずれかの項目が登録要求項目として選択される。
また、画面２１０において、設定方法として「２．Bluetoothチャネル(周波数)」が選択された場合、ブルートゥースチャネル項目選択用の画面２１１である。ここでは、無線電話機４Ａで使用されるチャネル番号あるいは搬送周波数（中心周波数）が項目として表示されており、利用者の操作に応じていずれかの項目が選択される。
【００６３】
また、画面２１０において、設定方法として「３．電子機器」が選択された場合、電子機器項目選択用の画面２１３が表示される。ここでは、無線電話機４Ａ周辺で併用される電子機器（ＩＳＭ機器）の名称（機種名や製品名）が項目として表示されており、利用者の操作に応じていずれかの項目が選択される。
項目登録手段２５Ｂは、これら画面に対する利用者の操作を操作入力部２３で検出し（ステップ１０３）、その操作に応じて取得した登録要求項目を含む登録要求を、伝送Ｉ／Ｆ部２０から内線伝送路５を介して電話制御装置１へ送信する（ステップ１０４）。
【００６４】
電話制御装置１の項目更新手段１５Ｂは、内線Ｉ／Ｆ部１１を介して無線電話機４Ａからの登録要求を受信した場合、その登録要求に含まれる登録要求項目を取得し、記憶部１４の項目情報１４Ｂへ更新記憶する（ステップ１０５）。
例えば、画面２０１において、無線ＬＡＮチャネル番号「ＣＨ５」が選択された場合、その項目種別「無線ＬＡＮチャネル番号」と項目内容「ＣＨ５」が登録要求項目として無線電話機４Ａから電話制御装置１へ通知されて項目情報１４Ｂが更新される。これにより、項目情報１４Ｂには、図８に示すように、項目種別「無線ＬＡＮチャネル番号」と項目内容「ＣＨ５」からなる新たな項目が追加される。
【００６５】
この項目情報１４Ｂの記憶更新に応じて、電話制御装置１の制御部１５は、通信条件設定手段１５Ｃにより、記憶部１４から項目更新画面データ（図示せず）を読み出し、内線Ｉ／Ｆ部１１から内線伝送路５を介して各無線電話機４へ通知する（ステップ１０６）。
【００６６】
各無線電話機４を構成する親機２の親機制御部２５は、伝送Ｉ／Ｆ部２０を介して電話制御装置１から項目更新画面データを受信した場合、項目登録手段２５Ｂにより、その項目更新画面データを表示部２２で画面表示する（ステップ１０７）。
これにより、電話制御装置１の項目情報１４Ｂが更新されたことが各無線電話機４の表示部２２で画面表示され、各利用者へ通知される。
【００６７】
これに応じて、無線電話機４Ｂを構成する親機２の親機制御部２５が、操作入力部２３により通信条件設定要求操作を検出した場合（ステップ１１０）、通信条件選択手段２５Ｃにより、通信条件の設定に用いる設定画面の要求を伝送Ｉ／Ｆ部２０から内線伝送路５を介して電話制御装置１へ送信する（ステップ１１１）。
電話制御装置１の制御部１５は、内線Ｉ／Ｆ部１１を介して無線電話機４Ｂからの設定画面要求を受信した場合、通信条件設定手段１５Ｃにより、記憶部１４の項目情報１４Ｂを参照して（ステップ１１２）、設定画面データを生成し、内線Ｉ／Ｆ部１１から内線伝送路５を介して無線電話機４Ｂへ通知する（ステップ１１３）。
【００６８】
親機２の通信条件選択手段２５Ｃは、伝送Ｉ／Ｆ部２０を介して電話制御装置１から設定画面データを受信し、その設定画面データを表示部２２で画面表示して、利用者の操作に応じて必要な情報を取得する。
図９は、項目更新画面および設定画面の表示例である。図９のうち、画面２１０は、項目更新画面であり、電話制御装置１で項目情報１４Ｂが更新されたことを通知する画面であり、画面２１１は、通信条件設定要求に応じて表示される設定画面である。無線電話機４Ｂにおいて、画面２１０で、更新された項目により通信条件を設定する旨の操作を行うことにより（ステップ１１０）、画面２１１が表示される。
【００６９】
画面２１１では、通信条件を特定する項目として「１．無線ＬＡＮチャネルＣＨ５」，「２．BluetoothチャネルＣＨ５０(２４５２ＭＨｚ)」，「３．電子レンジ」という項目が表示されており、利用者の操作に応じていずれかの項目が選択される。
通信条件選択手段２５Ｃは、これら画面に対する利用者の操作を操作入力部２３で検出し（ステップ１１４）、その操作に応じて取得した対象電話機識別情報と通信条件特定項目を含む設定要求を、伝送Ｉ／Ｆ部２０から内線伝送路５を介して電話制御装置１へ送信する（ステップ１１５）。
【００７０】
電話制御装置１の通信条件設定手段１５Ｃは、内線Ｉ／Ｆ部１１を介して無線電話機４Ｂからの設定要求を受信した場合、その設定要求に含まれる通信条件特定項目から、無線データ通信に関する通信条件として、無線電話機４Ｂで使用不可とするチャネルを抽出する（ステップ１２０）。
【００７１】
ブルートゥース無線通信方式では、無線データ通信で使用する搬送周波数ｆａにそれぞれ固有のチャネル番号が割り当てられている。図１０は、ブルートゥース無線通信方式のチャネル構成を示す説明図であり、２４０２ＭＨｚをチャネル０（ＣＨ０）とし、ここから１ＭＨｚおきに２４８０ＭＨｚのチャネル７８（ＣＨ７８）まで、７９個のチャネルが設定されている。
一方、無線ＬＡＮ通信方式では、同様にして無線データ通信で使用する搬送周波数ｆｂにそれぞれ固有のチャネル番号が割り当てられている。図１１は、無線ＬＡＮ通信方式のチャネル構成を示す説明図であり、２４１２ＭＨｚから２４７２ＭＨｚまで５ＭＨｚおきに設定されたチャネル１（ＣＨ１）〜チャネル１３（ＣＨ１３）と、最後の２４８４ＭＨｚのチャネル１４の併せて１４個のチャネルが設定されている。
【００７２】
このように、ブルートゥース通信装置と無線ＬＡＮ通信装置は、使用する周波数帯域がオーバーラップしているため、これら通信装置を近距離で併用した場合、使用するチャネルによっては搬送周波数が近しいために電波干渉が発生する。
通信条件設定手段１５Ｃでは、これらチャネル構成に基づいて、無線電話機４Ｂで選択された通信条件特定項目から、無線データ通信に関する通信条件として無線電話機４Ｂで使用不可とするチャネルを抽出している。
【００７３】
ブルートゥース無線通信方式で使用する搬送周波数ｆａは、そのチャネル番号Ｘ（Ｘは０〜７８の整数）を用いて式（１）で求められる。
fa＝2402(MHz)＋X×1(MHz)  …（１）
また、無線ＬＡＮ通信方式で使用する搬送周波数ｆｂは、そのチャネル番号Ｙ（Ｙは１〜１４の整数）を用いて式（２）で求められる。
fb＝2407(MHz)＋Y×5(MHz)＋fb'(MHz)  …（２）
但し、Ｙ＝１〜１３の場合ｆｂ'＝０であり、Ｙ＝１４の場合ｆｂ'＝７である。
【００７４】
この際、無線ＬＡＮ通信方式では、無線データ通信時に使用される周波数帯域は、搬送周波数ｆｂを中心として、例えば１０ＭＨｚ程度の帯域幅Δｆを有する使用周波数帯域ｆｂｗとなる。図１２は、ブルートゥース無線通信方式と無線ＬＡＮ通信方式のチャネル対応関係を示す説明図であり、例えば無線ＬＡＮ通信装置でチャネル５（ＣＨ５）を使用する場合、その搬送周波数ｆｂは２４３２ＭＨｚであるから、Δｆ＝１０ＭＨｚとした場合、使用周波数帯域ｆｂｗはｂ±Δｆすなわち２４２２ＭＨｚ〜２４４２ＭＨｚとなる。この場合、ブルートゥース無線通信方式で使用不可とするチャネル番号は、チャネル２０（ＣＨ２０）〜チャネル４０（ＣＨ４０）となる。
【００７５】
したがって、通信条件特定項目として選択された無線ＬＡＮ通信方式のチャネル番号Ｙから、ブルートゥース無線通信方式での使用不可チャネルＸｗを、式（３）により求めることができる。
Xw＝{Y＋1(MHz)}×5(MHz)＋{fb'／1(MHz)}±{Δf／1(MHz)}  …（３）
但し、Ｙ＝１〜１３の場合ｆｂ'＝０であり、Ｙ＝１４の場合ｆｂ'＝７である。
【００７６】
このようにして、通信条件設定手段１５Ｃは、通信条件として無線電話機４Ｂで使用不可とするチャネルを抽出した後、記憶部１４の無線チャネル情報１４Ｃに登録する（ステップ１１１）。これにより、図１３に示すように、無線チャネル情報１４Ｃのうち無線電話機４Ｂの使用不可チャネル番号に「２０〜４０」が登録される。
また、通信条件設定手段１５Ｃは、使用不可チャネルを含む設定通知を内線Ｉ／Ｆ部１１から無線電話機４Ｂに対して通知することにより、この通信条件を無線電話機４Ｂに設定する（ステップ１２０）。
【００７７】
無線電話機４Ｂを構成する親機２の親機制御部２５は、伝送Ｉ／Ｆ部２０を介して電話制御装置１から設定通知を受信した場合、通信条件指示手段２５Ｄにより、この設定通知に含まれる使用不可チャネルを無線モジュール２６へ指定する（ステップ１２１）。
無線モジュール２６のモジュール制御部２９は、通信制御手段２９Ａにより、通信条件指示手段２５Ｄから指定された使用不可チャネルを、モジュール記憶部２８のチャネルテーブル２８Ａに登録する。これにより、図１４に示すように、チャネル番号２０〜４０に対して使用不可が登録される。
【００７８】
また、通信条件設定手段１５Ｃは、子機３へのチャネルテーブルの同期を無線モジュール２６へ指示する。これに応じて、通信制御手段２９Ａは、モジュール記憶部２８のチャネルテーブル２８Ａを読み出して、無線送受信部２７から無線回線６を介して子機３へ通知する。子機３の無線モジュール３６は、親機２の無線モジュール２６から通知されたチャネルテーブル２８Ａの内容に基づき自己のモジュールテーブルを更新する。これにより、親機２および子機３間でモジュールテーブルの内容が同期されて、互いに同じ使用不可チャネルが認識され、一連の通信条件設定動作が終了する。
【００７９】
このように、本実施の形態は、無線電話機に、搬送波周波数の異なる複数のチャネルのうちから任意の通信条件に基づき順次選択したチャネルを用いて無線データ通信を行う通信制御手段と、無線データ通信に関する通信条件を特定するための項目を電話制御装置から取得して選択し電話制御装置へ通知する通信条件選択手段と、電話制御装置から通知された通信条件を無線データ通信の通信条件として通信制御手段に指定する通信条件指示手段とを設け、電話制御装置で、無線電話機での無線データ通信に関する通信条件を特定するための項目を記憶しておき、通信条件設定手段により、無線電話機からの取得要求に応じて記憶部の項目を当該無線電話機へ通知し、これに応じて当該無線電話機で選択された項目に対応する通信条件を抽出して当該無線電話機へ設定するようにした。
【００８０】
これにより、ＩＳＭバンドを使用する無線ＬＡＮや各種ＩＳＭ機器が電話システムの内線電話機をなすブルートゥース無線電話機と併用される場合でも、ＩＳＭバンドでの無線通信環境を良好に保つことができる。
また、電話制御装置で記憶している項目に基づいて各無線電話機でそれぞれの通信条件を設定することができ、同様の通信環境に設置されている各無線電話機において同一の通信条件を容易に設定できる。
【００８１】
この際、通信条件設定手段で、通信条件を抽出する際、項目から無線データ通信で用いるチャネルの使用可否を示す通信条件を抽出し、通信条件指示手段で、通信条件を指定する際、電話制御装置から通知された通信条件に基づき無線データ通信で用いる各チャネルの使用可否を通信制御手段に指定するようにしたので、任意の項目から実際の制御で用いるブルートゥース無線通信方式での使用不可チャネルの抽出を電話制御装置で一元的に行うことができ、各無線電話機で使用不可チャネルの抽出を行う場合と比較して、極めて簡素な構成の電話システムを実現できる。
【００８２】
また、内線電話機のいずれかを設定用電話機として、無線電話機での無線データ通信に関する通信条件を特定するための項目を選択して電話制御装置へ登録し、電話制御装置の項目更新手段で、設定用電話機から通知された項目に基づき記憶部の項目を更新記憶するようにしたので、項目登録用の装置を別途設ける必要がなくなる。
なお、本実施の形態では、無線電話機４Ａを項目登録に用いる設定用電話機とした場合を例として説明したが、設定用電話機が無線電話機４である必要はなく、例えばハンドセットがカールコードを介して電話機本体に接続されている一般的な内線電話機であってもよい。
【００８３】
さらに、設定用電話機の項目登録手段で、項目を選択する際、電話制御装置から通知された各項目を表示部で画面表示し、任意の操作入力に応じて表示部に表示された各項目のうちのいずれかを選択するようにしたので、項目を容易に選択して登録できる。
【００８４】
この際、項目として無線ＬＡＮ通信方式で用いられる無線ＬＡＮチャネルを示す項目を選択して登録するようにしてもよく、無線ＬＡＮ通信方式やブルートゥース無線通信方式のチャネル構成およびその搬送周波数に関する知識を必要とすることなく容易に項目を設定できる。
また、項目として電子機器（ＩＳＭ機器）を示す項目を選択して登録するようにしてもよく、当該電子機器の使用周波数帯域やブルートゥース無線通信方式のチャネル構成や搬送周波数に関する知識を必要とすることなく容易に項目を設定できる。
【００８５】
また、項目としてブルートゥース無線通信方式のチャネルを示す項目を選択して登録するようにしてもよく、他のブルートゥース通信装置で用いるチャネルを容易に設定できる。これにより、他のブルートゥース通信装置とのチャネルの棲み分けを容易に実現でき、両者間で偏りなくチャネルを利用できる。
また、項目としてブルートゥース無線通信方式の搬送周波数を示す項目を選択して登録するようにしてもよく、任意のＩＳＭ機器から放出される所定周波数の電磁波との干渉を、ＡＦＨで確認することなく容易に回避できる。
【００８６】
また、電話制御装置１の通信条件設定手段１５Ｃで、当該電話制御装置の起動に応じて無線電話機４へ項目更新を通知し、無線電話機４の通信条件選択手段２５Ｃで、電話制御装置１からの項目更新通知に応じて項目が更新された旨を表示部２２で表示するようにしたので、無線電話機４から項目更新有無を確認する必要がなくなり、利用者の負担を軽減できる。
【００８７】
また、設定用電話機の通信条件選択手段で、項目を通知する際、通信条件の指定対象となる無線電話機を示す電話機情報を電話制御装置へ通知し、電話制御装置の通信条件設定手段で、通信条件を通知する際、電話機情報に対応する無線電話機へ通信条件を設定するようにしたので、設定電話機から各無線電話機に対して通信条件を設定でき、各無線電話機で通信条件をそれぞれ設定する場合と比較して、電話システムの保守作業を簡素化できる。
【００８８】
［第２の実施の形態］
次に、本発明の第２の実施の形態にかかる電話システムについて説明する。
第１の実施の形態では（図１参照）、通信条件を設定する際、電話制御装置１に登録されている項目のみを無線電話機４に通知する場合について説明した。本実施の形態では、項目情報１４Ｂに、各項目を用いて通信条件を設定した無線電話機を登録しておき、任意の無線電話機で通信条件を設定する際、各項目に加えて当該項目を用いて通信条件を設定した無線電話機の識別情報を表示する場合について説明する。
【００８９】
本実施の形態にかかる電話システムの構成は、第１の実施の形態と比較して、図１５に示すように、項目情報１４Ｂに「設定済み無線電話機ＩＤ」の欄が設けられており、それぞれの項目を用いて通信条件が設定された無線電話機４の識別情報が格納されている。  
【００９０】
図１５の例では、「ブルートゥースチャネル番号」が「ＣＨ５０（２４５２ＭＨｚ）」という通信条件を示す項目が無線電話機「４Ｃ」で使用され、「電子機器」が「電子レンジ」という通信条件を示す項目が無線電話機「４Ｃ」で使用され、「無線ＬＡＮチャネル番号」が「ＣＨ４」という通信条件を示す項目が無線電話機「４Ｂ」で使用されたことが記録されている。
なお、電話制御装置１のその他の構成および無線電話機４の構成については、前述した第１の実施の形態と同様であり、ここでの詳細な説明は省略する。
【００９１】
［第２の実施の形態の動作］
次に、前述した図６を参照して、本発明の第２の実施の形態にかかる電話システムの動作について説明する。
図６のステップ１１１において、無線電話機４Ｂから設定画面要求を受信した場合、電話制御装置１の通信条件設定手段１５Ｃは、記憶部１４の項目情報１４Ｂを参照して（ステップ１１２）、設定画面データを生成し、内線Ｉ／Ｆ部１１から内線伝送路５を介して無線電話機４Ｂへ通知する（ステップ１１３）。
【００９２】
図１６は、通信条件設定画面例である。この設定画面例では、電話制御装置１の記憶部１４に登録されている各項目について、その項目種別および項目内容に加え、当該項目が使用された無線電話機４の識別情報、例えば内線番号が表示されている。
【００９３】
通常、無線電話機の無線電波環境は、設置位置がある程度近い場合、それほど大きく変化するものではないため、任意の無線電話機で例えば無線ＬＡＮ通信装置と電波干渉が発生した場合、その無線電話機の近くに設置されている無線電話機でも同様の電波干渉が発生する可能性が高い。
図１７に示すように、無線電話機４Ａと無線電話機４Ｂの設置位置が近く、無線電話機４Ａでの電波干渉を通信条件の設定により回避させる場合、無線電話機４Ｂで用いた電波干渉３００に対する通信条件が無線電話機４Ａでも有効である可能性が高い。
【００９４】
したがって、本実施の形態のように、各項目について、その項目を用いて通信条件を設定した無線電話機４の識別情報を設定画面で表示することにより、過去の設定履歴を参照して有効性の高い通信条件を容易に設定できる。
【００９５】
［第３の実施の形態］
次に、図１８を参照して、本発明の第３の実施の形態にかかる電話システムについて説明する。図１８は、本発明の第３の実施の形態にかかる電話システムで用いられるチャネル番号抽出テーブルの構成例である。
【００９６】
前述した第１の実施の形態では、電話制御装置１で、通信条件特定項目として選択された無線ＬＡＮチャネルからブルートゥース無線通信方式のチャネルを使用不可とする通信条件を抽出する際、式（３）を用いてブルートゥース無線通信方式のチャネル番号を求める場合を例として説明した。
本実施の形態では、図１８のチャネル番号抽出テーブルを用いてブルートゥース無線通信方式のチャネル番号を求める場合について説明する。なお、電話システムの構成については前述した第１の実施の形態と同様であり、ここでの説明は省略する。
【００９７】
図１８のチャネル番号抽出テーブルには、無線ＬＡＮチャネルのチャネル番号Ｙと、これらチャネルの使用周波数帯域に対応するブルートゥース無線通信方式のチャネルのチャネル番号とが組として登録されている。この際、無線ＬＡＮ通信方式の使用周波数帯域幅Δｆを考慮して、両者の対応関係を登録しておく必要がある。
電話制御装置１の通信条件設定手段１５Ｃでは、チャネル番号抽出テーブルに基づき、項目選択手段１８Ｂで選択された通信条件特定項目から、無線データ通信に関する通信条件として、無線電話機４で使用不可とするチャネルを抽出する。
【００９８】
このように、本実施の形態では、無線データ通信に関する通信条件を抽出する際、通信条件特定項目とブルートゥース無線通信方式のチャネル番号との対応関係を記憶するチャネル番号抽出テーブルを参照して、使用不可とするチャネルを抽出するようにしたので、極めて容易に所望の使用不可チャネルを抽出できる。
【００９９】
［実施の形態の拡張］
以上の各実施の形態では、無線電話機４において、親機２と子機３とを無線回線を介して接続する際にブルートゥース無線通信方式を用いる場合を例として説明したが、ブルートゥース無線通信方式の用い方についてはこれに限定されるものではなく、例えば内線電話機が他の端末機器とのデータ通信にブルートゥース無線通信方式を用いている場合であっても、この内線電話機を無線電話機４と見なして各実施の形態を前述と同様に実施でき、同様の作用効果が得られる。
【０１００】
また、以上の各実施の形態では、無線ＬＡＮ通信方式の使用周波数帯域幅Δｆを１０ＭＨｚとした場合を例として説明したが、これに限定されるものではなく、実際に使用する無線ＬＡＮ通信装置の周波数特性や無線電話機４の対干渉性能に応じて使用周波数帯域幅Δｆを選択すればよい。
【０１０１】
また、以上の各実施の形態では、無線電話機４を構成する親機２の親機制御部２５に、通信条件選択手段２５Ｃおよび通信条件指示手段２５Ｄを設けた場合を例として説明したが、これら手段のいずれかまたは全部を無線モジュール２６のモジュール制御部２９で実現してもよく、ブルートゥース無線通信方式の周波数ホッピング機能の１つとして無線モジュール内に実装できる。これにより、親機制御部２５での処理を大幅に軽減できるとともに、親機制御部２５で実行するプログラムを簡素化でき、全体として安価な無線通信装置を実現できる。
【図面の簡単な説明】
【０１０２】
【図１】本発明の第１の実施の形態にかかる電話システムの構成を示すブロック図である。
【図２】本発明の第１の実施の形態にかかる電話システムで用いられる無線電話機の構成を示すブロック図である。
【図３】項目情報の構成例である。
【図４】無線チャネル情報の構成例である。
【図５】チャネルテーブルの構成例である。
【図６】本発明の第１の実施の形態にかかる電話システムの動作として通信条件設定動作を示すシーケンス図である。
【図７】登録画面の表示例である。
【図８】項目情報（登録後）の構成例である。
【図９】項目更新画面および設定画面の表示例である。
【図１０】ブルートゥース無線通信方式のチャネル構成を示す説明図である。
【図１１】無線ＬＡＮ通信方式のチャネル構成を示す説明図である。
【図１２】ブルートゥース無線通信方式と無線ＬＡＮ通信方式のチャネル対応関係を示す説明図である。
【図１３】無線チャネル情報の登録例である。
【図１４】チャネルテーブルの登録例である。
【図１５】項目情報の構成例である。
【図１６】設定画面の表示例である。
【図１７】無線電話機の設置位置と電波干渉との関係を示す説明図である。
【図１８】チャネル番号抽出テーブルの構成例である。
【符号の説明】
【０１０３】
１…電話制御装置、１０…外線Ｉ／Ｆ部、１１…内線Ｉ／Ｆ部、１２…スイッチ、１４…記憶部、１４Ａ…呼制御情報、１４Ｂ…項目情報、１４Ｃ…無線チャネル情報、１５…制御部、１５Ａ…呼制御手段、１５Ｂ…項目更新手段、１５Ｃ…通信条件設定手段、２…親機、２０…伝送Ｉ／Ｆ部、２１…音声処理部、２２…表示部、２３…操作入力部、２４…記憶部、２５…親機制御部、２５Ａ…呼制御手段、２５Ｂ…項目登録手段、２５Ｃ…通信条件選択手段、２５Ｄ…通信条件指示手段、２６…無線モジュール、２７…無線送受信部、２８…モジュール記憶部、２８Ａ…チャネルテーブル、２９…モジュール制御部、２９Ａ…通信制御手段、３…子機、３１…音声処理部、３２…表示部、３３…操作入力部、３４…記憶部、３５…子機制御部、３６…無線モジュール、４，４Ａ，４Ｂ，４Ｃ…無線電話機、５…内線伝送路、６…無線回線、９…通話回線。
【図１】
0004492506.tif 000002
【図２】
0004492506.tif 000003
【図３】
0004492506.tif 000004
【図４】
0004492506.tif 000005
【図５】
0004492506.tif 000006
【図６】
0004492506.tif 000007
【図７】
0004492506.tif 000008
【図８】
0004492506.tif 000009
【図９】
0004492506.tif 000010
【図１０】
0004492506.tif 000011
【図１１】
0004492506.tif 000012
【図１２】
0004492506.tif 000013
【図１３】
0004492506.tif 000014
【図１４】
0004492506.tif 000015
【図１５】
0004492506.tif 000016
【図１６】
0004492506.tif 000017
【図１７】
0004492506.tif 000018
【図１８】
0004492506.tif 000019